(57)【要約】【課題】対象機器のレイアウトの変更によっても各対象機器の状態データを良好に表示して、対象機器のそれぞれを定期的に監視することができる機器監視システムを供給すること。【解決手段】本発明の機器監視システムは、対象となる複数の対象機器（２０，３０）の運転状態を定期的に監視する機器監視システムであって、対象機器（２０，３０）よりそれぞれの状態データを収集するデータ収集手段（１３）と、このデータ収集手段（１３）が収集した状態データを対象機器（２０，３０）の機能毎に区分し、各区分における状態データの集合体を個々の表示要素として表示する表示制御手段（１４）とを備えてなるものである。【選択図】　　　図１
2004085097.tif 000002
【特許請求の範囲】
【請求項１】
対象となる複数の対象機器の運転状態を定期的に監視する機器監視システムにおいて、
前記対象機器よりそれぞれの状態データを収集するデータ収集手段と、
前記データ収集手段が収集した状態データを前記対象機器の機能毎に区分し、各区分における状態データの集合体を個々の表示要素として表示する表示制御手段と
を備えてなることを特徴とする機器監視システム。
【請求項２】
前記状態データは、前記対象機器の機能毎に区分するための区分情報を有しており、
前記表示制御手段は、前記区分情報に基づいて、前記状態データを前記対象機器の機能毎に区分することを特徴とする請求項１に記載の機器監視システム。
【請求項３】
前記状態データに対して前記対象機器の機能毎に区分するための区分情報を付与するデータ入力手段を備えてなり、
前記表示制御手段は、前記区分情報に基づいて、前記状態データを前記対象機器の機能毎に区分することを特徴とする請求項１に記載の機器監視システム。
【請求項４】
前記対象機器から収集した状態データに基づいて当該対象機器の異常を検知する異常検知手段と、
前記異常検知手段が対象機器の異常を検知した場合にその旨を報知する報知手段と
を備えていることを特徴とする請求項１〜３のいずれか一つに記載の機器監視システム。
【請求項５】
前記報知手段は、前記表示制御手段に該当する対象機器を着色して表示させる着色表示出力手段、および／または音声を出力する音声出力手段であることを特徴とする請求項４に記載の機器監視システム。
【発明の詳細な説明】
【０００１】
【発明の属する技術分野】
本発明は、対象となる複数の対象機器の運転状態を定期的に監視する機器監視システムに関するものである。
【０００２】
【従来の技術】
例えばスーパーマーケットやコンビニエンスストア等の店舗には、複数のショーケース、冷凍機、空調機、照明機器等の機器（以下、対象機器ともいう）が設置されている。
【０００３】
従来、これら対象機器の運転状態等の定期的な監視は、次のような機器監視システムを用いて行われていた。機器監視システムは、複数の対象機器と、これら対象機器の監視を行う監視装置とにより構成されている。この監視装置は、該監視装置の動作を統括的に制御する制御部と、対象機器の運転状態に関する運転状態データを定期的に受信する受信部と、対象機器の設置形態（以下、レイアウトともいう）に関するレイアウトデータを保存する保存部と、上記各データを表示するための表示モニターとを有してなるものである。
【０００４】
そして、監視装置においては、その制御部が、図１４に示すように、保存部に保存されているレイアウトデータに基づき表示モニターに対象機器のレイアウトを表示させ、その状態において、受信部を通じて定期的に受信した運転状態データを表示モニターに併せて表示させていた。
【０００５】
従って、上記の機器監視システムによれば、対象機器のレイアウト表示を利用した態様で該対象機器の運転状態を監視することができる。このような機器監視システムに対応する技術が特許第２７０８３１５号公報、特許第２７０８３１６号公報等に提案されている。
【０００６】
【発明が解決しようとする課題】
ところが、一般に表示モニターの表示画面の大きさは物理的に制約されているため、上記の機器監視システムのように対象機器のレイアウト表示を利用した態様で該対象機器の運転状態を表示することは、対象機器の数が多い場合に対象機器の全てを例えば１画面もしくは２画面内にまとめて表示すると各対象機器に該当する部分の表示が小さくなってしまい、各対象機器の運転状態データを良好に監視することができない。
【０００７】
また、対象機器の移動、追加もしくは削除等により対象機器のレイアウトの変更を行った場合には、図１５に示すように対象機器のレイアウト表示を変更する必要があり、手続が非常に煩雑になる。
【０００８】
本発明は、上記実情に鑑みて、対象機器のレイアウトの変更によっても各対象機器の状態データを良好に表示して対象機器のそれぞれの運転状態を定期的に監視することができる機器監視システムを提供することを目的とする。
【０００９】
【課題を解決するための手段】
上記目的を達成するために、本発明の請求項１に係る機器監視システムは、対象となる複数の対象機器の運転状態を定期的に監視する機器監視システムにおいて、前記対象機器よりそれぞれの状態データを収集するデータ収集手段と、前記データ収集手段が収集した状態データを前記対象機器の機能毎に区分し、各区分における状態データの集合体を個々の表示要素として表示する表示制御手段とを備えてなることを特徴とする。
【００１０】
また、本発明の請求項２に係る機器監視システムは、上記の請求項１において、前記状態データは、前記対象機器の機能毎に区分するための区分情報を有しており、前記表示制御手段は、前記区分情報に基づいて、前記状態データを前記対象機器の機能毎に区分することを特徴とする。
【００１１】
また、本発明の請求項３に係る機器監視システムは、上記の請求項１において、前記状態データに対して前記対象機器の機能毎に区分するための区分情報を付与するデータ入力手段を備えてなり、前記表示制御手段は、前記区分情報に基づいて、前記状態データを前記対象機器の機能毎に区分することを特徴とする。
【００１２】
また、本発明の請求項４に係る機器監視システムは、上記の請求項１〜３のいずれか一つにおいて、前記対象機器から収集した状態データに基づいて当該対象機器の異常を検知する異常検知手段と、前記異常検知手段が対象機器の異常を検知した場合にその旨を報知する報知手段とを備えていることを特徴とする。
【００１３】
また、本発明の請求項５に係る機器監視システムは、上記の請求項４において、前記報知手段は、前記表示制御手段に該当する対象機器を着色して表示させる着色表示出力手段、および／または音声を出力する音声出力手段であることを特徴とする。
【００１４】
【発明の実施の形態】
以下に添付図面を参照して、本発明に係る機器監視システムの好適な実施の形態について詳細に説明する。尚、以下の実施の形態では、機器監視システムの一例として、複数の店舗に設置された冷蔵／冷凍ショーケースおよび空調機のそれぞれを対象機器とする機器監視システムについて説明する。
【００１５】
図１は、本発明の実施の形態に係る機器監視システムの構成を示すブロック図である。図１において、機器監視システムは、冷蔵／冷凍ショーケースおよび空調機が設置された複数の店舗（Ａ店、・・・、Ｎ店）と、これら複数の店舗（Ａ店、・・・、Ｎ店）のそれぞれとネットワークＮを介して接続された監視センター１０とを有して構成してある。
【００１６】
それぞれの店舗（Ａ店、・・・、Ｎ店）には、対象機器である複数の冷蔵／冷凍ショーケース２０および空調機３０と、一つの冷蔵／冷凍ショーケース２０の監視および制御を行うケース用コントローラ４０と、空調機の監視および制御を行う空調用コントローラ５０と、店舗用監視装置６０とが設けられている。より詳しくは、ケース用コントローラ４０とこのケース用コントローラ４０の監視制御下にある冷蔵／冷凍ショーケース２０とにより構成されたショーケースブロックＸと、空調用コントローラ５０とこの空調用コントローラ５０の監視制御下にある空調機３０とにより構成された空調機ブロックＹとによって構築された店舗内ＬＡＮ（Ｌｏｃａｌ　Ａｒｅａ　Ｎｅｔｗｏｒｋ）に店舗用監視装置６０が接続して構成されている。また、この店舗用監視装置６０はインターネット等のネットワークＮに接続してある。
【００１７】
冷蔵／冷凍ショーケース２０は、図２に示すように、該冷蔵／冷凍ショーケース２０の本体となる複数のショーケース２１と、冷凍機２２とにより構成され、ショーケース２１が店舗内に、冷凍機２２が店舗外にそれぞれ設置されている。この冷凍機２２は、高温高圧の液冷媒を生成してそれぞれのショーケース２１に供給するものである。そして、一つの冷蔵／冷凍ショーケース２０を構成するショーケース２１は適用される用途が共通している。そのため、冷蔵／冷凍ショーケース２０毎に適用される用途は異なっており、冷蔵／冷凍ショーケース２０は、各々が異なる系統に所属している。
【００１８】
空調機３０は、図示はしないが、店舗内に設置されている室内機と、店舗外に設置されている室外機とにより構成されており、該店舗内を所定の温度に保持するためのものである。
【００１９】
ケース用コントローラ４０は、図３に示すように、主制御部４１、通信制御部４２、冷凍機監視制御部４３およびショーケース監視部４４を有して構成されている。
【００２０】
主制御部４１は、例えばＲＯＭやＲＡＭ等のメモリ４５に格納されたプログラムやデータに基づいてケース用コントローラ４０の動作を統括的に制御するものである。
【００２１】
通信制御部４２は、他のケース用コントローラとの通信を制御すると共に、店舗用監視装置６０との通信を制御するものである。
【００２２】
冷凍機監視制御部４３は、図示していないセンサを介して冷凍機２２の運転状態（吸入／吐出圧力、吸入／吐出ガス温度等）を所定の時間単位に監視すると共に、この冷凍機２２の運転を制御するものである。
【００２３】
ショーケース監視部４４は、図示していないセンサを介してそれぞれのショーケース２１の各種温度等（温調温度、庫内温度、除霜温度等）を所定の時間単位に監視するものである。
【００２４】
これら冷凍機監視制御部４３およびショーケース監視部４４により監視されているショーケース２１および冷凍機２２の運転状態に関する時間単位のデータは、運転状態データとして通信制御部４２を通じて店舗用監視装置６０に送出される。この運転状態データには、後述するように店舗用監視装置６０において該運転状態データを機能毎に区分するための区分情報、すなわち、該当するショーケース２１および冷凍機２２がどの系統に所属しているかを示す系統情報が付加されている。ここで、区分情報は、冷蔵／冷凍ショーケース２０のそれぞれが付加してもよいし、通信制御部４２が店舗用監視装置６０に送出する際に付加してもよい。
【００２５】
また、上記のメモリ４５には、ショーケース２１および冷凍機２２の設定状態に関する設定状態データが格納されており、後述するように店舗用監視装置６０、あるいは監視センター１０からの要求に応じてこの設定状態データも通信制御部４２を通じて店舗用監視装置６０に送出される。この設定状態データにも、上記の運転状態データと同様に、該当するショーケース２１および冷凍機２２がどの系統に所属しているかを示す系統情報が付加されている。ここで、区分情報は、冷蔵／冷凍ショーケース２０のそれぞれが付加してもよいし、通信制御部４２が店舗用監視装置６０に送出する際に付加してもよい。
【００２６】
空調用コントローラ５０は、図４に示すように、主制御部５１、通信制御部５２および空調機監視制御部５３を有して構成されている。
【００２７】
主制御部５１は、例えばＲＯＭやＲＡＭ等のメモリ５４に格納されたプログラムやデータに基づいて空調用コントローラ５０の動作を統括的に制御するものである。通信制御部５２は、店舗用監視装置６０との通信を制御するものである。
【００２８】
空調機監視制御部５３は、図示していないセンサを介して空調機３０の運転状態を所定の時間単位に監視すると共に、この空調機３０の運転を制御するものである。この空調機監視制御部５３により監視されている空調機３０の運転状態に関する時間単位のデータは、運転状態データとして通信制御部５２を通じて店舗用監視装置６０に送出される。この空調機３０の運転状態データにも、上記の冷蔵／冷凍ショーケース２０の運転状態データと同様に、該当する空調機３０がどの系統に所属しているかを示す系統情報が付加されている。ここで、区分情報は、空調機３０のそれぞれが付加してもよいし、通信制御部５２が店舗用監視装置６０に送出する際に付加してもよい。
【００２９】
また、上記のメモリ５４には、空調機３０の設定状態に関する設定状態データが格納されており、後述するように店舗用監視装置６０、あるいは監視センター１０からの要求に応じてこの設定状態データも通信制御部５２を通じて店舗用監視装置６０に送出される。この空調機３０の設定状態データにも、上記の冷蔵／冷凍ショーケース２０の設定状態データと同様に、該当する空調機３０がどの系統に所属しているかを示す系統情報が付加されている。ここで、区分情報は、空調機３０のそれぞれが付加してもよいし、通信制御部５２が店舗用監視装置６０に送出する際に付加してもよい。
【００３０】
店舗用監視装置６０は、図５に示すように、監視制御部６１、通信制御部６２、データ収集処理部６３、データ入力部６４、表示制御部６５、表示部６６、データ診断部６７およびデータ出力部６８を有して構成されている。
【００３１】
監視制御部６１は、例えばＲＯＭやＲＡＭ等のメモリ６９に格納されたプログラムやデータに基づいて店舗用監視装置６０の動作を統括的に制御するものである。
【００３２】
通信制御部６２は、例えばＥｔｈｅｒｎｅｔ（Ｒ）上に出力する機能を有するものであり、ケース用コントローラ４０および空調用コントローラ５０との間のデータの送受信と、ネットワークＮを通じた監視センター１０との間のデータの送受信とを制御するものである。
【００３３】
データ収集処理部６３は、通信制御部６２を通じてケース用コントローラ４０および空調用コントローラ５０のそれぞれに対して運転状態データおよび設定状態データ（以下、単に状態データともいう）の収集要求を行い、収集した状態データをデータベース化してメモリ６９に格納するためのものである。このメモリ６９にデータベース化して格納した運転状態データおよび設定状態データの構成例（データレコード）をそれぞれ図６および図７に示す。
【００３４】
データ入力部６４は、この機器監視システムの利用者が直接入力した対象機器の型式、設定状態データおよび系統情報をメモリ６９に格納するためのものである。より詳しくは、図８に示すように、表示部６６に表示された設定入力画面上において直接入力した対象機器（図示の例ではショーケース）の型式、設定状態データおよび系統情報をメモリ６９に格納するためのものである。
【００３５】
表示制御部６５は、図９に示すように、メモリ６９に格納してある状態データを機能毎に区分して、各区分における状態データの集合体を個々の表示要素として表示部６６に表示させるものである。より詳しくは、メモリ６９に格納してある状態データを系統情報に従って系統毎に区分し、各系統における状態データの集合体を個々の表示要素として表示部６６に表示させるものである。このとき、表示部６６には、各対象機器の運転状態データが表示されている。
【００３６】
また、表示制御部６５は、利用者が表示部６６の画面上において対象機器の指定を行った場合に、より詳しくは、利用者が例えばマウスなどの入力機器を用いて表示部６６の画面上においてポインターを或る対象機器の領域内に例えば数秒間配置した場合に、メモリ６９に格納されている指定された対象機器の設定状態データを表示部６６に表示させるものである（図９中の▲１▼参照）。
【００３７】
データ診断部６７は、メモリ６９に格納された運転状態データと、同じくメモリ６９に格納された設定状態データとに基づいて冷蔵／冷凍ショーケース２０および空調機３０の運転状態の診断を行うものである。そして、データ診断部６７は、運転状態データが設定状態データと大きく異なっていると診断した場合には、異常警報として、表示部６６の画面上において該当する機器を例えば赤色に点灯させた状態で表示させる一方、運転状態データが設定状態データと僅かに異なっていると診断した場合には、予備警報として、表示部６６の画面上において該当する機器を例えば黄色に点灯させた状態で表示させる。
【００３８】
データ出力部６８は、監視センター１０からの要求に応じてメモリ６９に格納している状態データを、通信制御部６２を通じて監視センター１０へ出力するためのものである。
【００３９】
監視センター１０は、図１０に示すように、監視制御部１１、通信制御部１２、データ収集処理部１３、表示制御部１４、表示部１５およびデータ診断部１６を有して構成されている。
【００４０】
監視制御部１１は、例えばＲＯＭやＲＡＭ等のメモリ１７に格納されたプログラムやデータに基づいて監視センター１０の動作を統括的に制御するものである。通信制御部１２は、ネットワークＮを通じた店舗監視装置６０との間のデータの送受信を制御するものである。
【００４１】
データ収集処理部１３は、通信制御部１２を通じて店舗用監視装置６０に対して状態データの収集要求を行い、収集した状態データをデータベース化してメモリ１７に格納するためのものである。
【００４２】
表示制御部１４は、店舗用監視装置６０の表示制御部６５と同様に、メモリ１７に格納してある状態データを機能毎に区分して、各区分における状態データの集合体を個々の表示要素として表示部１５に表示させるものである。また、表示制御部１４は、利用者が表示部１５の画面上において対象機器の指定を行った場合に、メモリ１７に格納されている指定された対象機器の設定状態データを表示部１５に表示させるものである。
【００４３】
データ診断部１６は、メモリ１７に格納された運転状態データと、同じくメモリ１７に格納された設定状態データとに基づいて冷蔵／冷凍ショーケース２０および空調機３０の運転状態の診断を行うものである。そして、データ診断部１６は、運転状態データが設定状態データと大きく異なっていると診断した場合には、異常警報として、表示部１５の画面上において該当する機器を例えば赤色に点灯させた状態で表示させる一方、運転状態データが設定状態データと僅かに異なっていると診断した場合には、予備警報として、表示部１５の画面上において該当する機器を例えば黄色に点灯させた状態で表示させる。
【００４４】
このように監視センター１０によれば、ネットワークＮを介して複数の店舗（Ａ店、・・・、Ｎ店）それぞれの店舗監視装置６０より対象機器の状態データを収集することができるので、各店舗の対象機器を一元に監視することができる。
【００４５】
以上のような構成を有する機器監視システムにおいては、各店舗個別に対象機器の運転状態を監視するのであれば店舗用監視装置６０を用いて行えばよいし、店舗それぞれの対象機器の運転状態を一つに集中して監視するのであれば、監視センター１０を用いて行えばよい。以下において、本実施の形態に係る機器監視システムが、対象機器である冷蔵／冷凍ショーケース２０および空調機３０の運転状態の監視する場合について説明する。尚、説明の便宜上、店舗用監視装置６０を用いて各店舗個別に対象機器の運転状態を監視する場合に限って説明する。ここに、対象となる店舗をＡ店とする。
【００４６】
まず、店舗用監視装置６０の監視制御部６１は、冷蔵／冷凍ショーケース２０および空調機３０の状態データを収集すべく、データ収集処理部６３を通じてケース用コントローラ４０および空調用コントローラ５０のそれぞれに状態データの収集要求を行う。その結果、ケース用コントローラ４０および空調用コントローラ５０においては、冷蔵／冷凍ショーケース２０および空調機３０のそれぞれの状態データを店舗用監視装置６０に送出する処理が行われることになる。このときの店舗用監視装置６０と、ケース用コントローラ４０および空調機３０との間におけるデータの送受信は、図１１に示すように、一のデータ要求に対してそれに対応するデータを供給するいわゆるポーリング方式で行われることになる。そのため、店舗用監視装置６０からの設定状態データの要求に対しては設定状態データを供給し、運転状態データの要求に対しては運転状態データを供給することになる。
【００４７】
次に、店舗用監視装置６０の監視制御部６１は、収集した状態データをメモリ６９にデータベース化して格納する（図６および図７参照）。そして、監視制御部６１は、表示制御部６５を通じてメモリ６９に格納してある状態データを対象機器の機能毎に区分し、図９に示したように、各区分におけるデータの集合体を個々の表示要素として表示部６６に表示させる。このとき、表示部６６の画面上に表示されるのは、運転状態データであり、設定状態データは、利用者が表示部６６の画面上において対象機器の指定を行った場合に表示される。このような状態データの収集および表示は、予め設定された時間単位で継続的に行われている。そのため、表示部６６には、常に最も新しく収集した状態データが表示されることになる。
【００４８】
また、店舗用監視装置６０の監視制御部６１は、データ診断部６７を通じて診断処理を行う。その結果、図９に示すような、表示部６６の表示画面が形成されることになる。この図示の例では、ショーケースのＮｏ．３３と冷凍機のＮｏ．４とは、異常警報として例えば赤色に点灯している。
【００４９】
以下において、対象機器が追加されたときに該対象機器の運転状態の監視する場合について説明する。ここでは、ショーケースが一つ追加されたものとして説明する。
【００５０】
まず、追加されたショーケースＳが所属する冷蔵／冷凍ショーケース２０を監視および制御するケース用コントローラ４０の主制御部４１が、ショーケース監視部４４を通じて監視して取得した該ショーケースＳの状態データを、店舗用監視装置６０の要求に応じて通信制御部４２を通じて店舗用監視装置６０に送出する。その結果、店舗監視装置６０の監視制御部６１は、データ収集処理部６３を通じて収集した状態データをメモリ６９にデータベース化して格納する（図１２参照）。
【００５１】
そして、監視制御部６１は、表示制御部６５を通じてメモリ６９に格納してある状態データを対象機器の機能毎に区分し、各区分におけるデータの集合体を個々の表示要素として、図１３に示すように、表示部６６に表示させる。
【００５２】
ここで、店舗用監視装置６０とケース用コントローラ４０との間におけるショーケースＳの状態データの送受信は、店舗用監視装置６０からの要求に応じて行われるものとして説明したが、この送受信の方法はこれに限られない。すなわち、追加したショーケースの状態データは、店舗用監視装置が状態データの要求を停止してから開始した直後に自動的にケース用コントローラから送出してもよいし、店舗用監視装置が状態データを要求している期間内に所定の時間毎（例えば１０分間毎）に自動的にケース用コントローラから送出してもよい。このように追加された対象機器の状態データを自動的に送出すれば、店舗用監視装置において追加された対象機器の状態データを要求する旨の情報を入力する等の設定変更を行う必要がなく、手続が煩雑になる虞れがない。
【００５３】
以上の機器監視システムの動作においては、ケース用コントローラ４０および空調用コントローラ５０のそれぞれから対象機器である冷蔵／冷凍ショーケース２０および空調機３０の設定状態データが送出されたが、仮にコントローラ４０，５０が対象機器２０，３０のいずれかの設定状態データを店舗用監視装置６０に送出することができない場合には、データ入力部６４を通じて該当する対象機器の型式、設定状態データおよび系統情報を入力し、これをメモリ６９に格納して処理することができる。
【００５４】
以上のような機器監視システムによれば、冷蔵／冷凍ショーケース２０および空調機３０に関する状態データを機能毎に区分し、各区分における状態データの集合体を個々の表示要素として表示部６６に表示するので、レイアウトの変更、すなわち対象機器の移動、追加または削除等に基づいて表示を変更する必要がなく、手続が煩雑なものにはならない。また、レイアウトとは無関係なため、一の表示部６６の画面に必要最大限の情報を表示することができ、これにより、各店舗（Ａ店、・・・、Ｎ店）における冷蔵／冷凍ショーケース２０および空調機３０の現在の状態を一瞥することができる。従って、冷蔵／冷凍ショーケース２０および空調機３０の運転状態を把握しやすくなり、監視が容易になる。
【００５５】
また、店舗用監視装置６０のデータ診断部６７の診断結果により、該当する対象機器は、異常警報もしくは予備警報として点灯した状態で表示されるので、利用者は表示部６６を介して早急に認識することができ、これにより、該機器の修理等が行われてショーケース２１内にある商品の被害を最小限にすることが可能になる。
【００５６】
更に、本実施の形態においては、図９に示したように、系統４に所属するＮｏ．３３のショーケース２１とＮｏ．４の冷凍機２２とが赤色に点灯している。このような場合において、対象機器２０，３０が機能毎に表示されていると、Ｎｏ．３３のショーケース２１と、Ｎｏ．４の冷凍機２２とは同じ冷蔵／冷凍ショーケース２０を構成していることが一見して判断することができる。そして、Ｎｏ．３３のショーケース２１と同じ系統４に所属するＮｏ．３５のショーケース２１の温度が僅かに高いことも容易に理解される結果、今回の異常警報の根本原因は、Ｎｏ．４の冷凍機の故障によるものと判断することができる。ところが、図１４または図１５に示したように、レイアウト表示に基づく表示では、Ｎｏ．３３のショーケースに異常が発生していることは理解されるが、このＮｏ．３３のショーケースとＮｏ．３５のショーケースが同じ系統４に所属していることを理解することは困難であり、単にＮｏ．３３のショーケースの故障と結論付けてしまい、本来発見すべき根本原因を発見することができなくなる。
【００５７】
また、データ入力部６４を通じて利用者が直接入力した対象機器の型式、設定状態データおよび系統情報をメモリ６９に格納することができるので、対象機器からその型式、設定状態データおよび系統情報を必ずしも受信する必要がない。従って、設定状態データ等を送出することができない機器等を対象機器に含んでいる場合にも良好に監視することができる。
【００５８】
以上において、店舗用監視装置６０を用いて各店舗個別に対象機器の運転状態を監視する機器監視システムについて説明したが、本発明はこれに限定されるものではない。すなわち、監視センター１０を用いて各店舗の対象機器の運転状態について監視してもよい。これによれば、各店舗の情報を一つに集中させて対象機器の運転状態を監視することができる。
【００５９】
また、店舗用監視装置６０の表示制御部６５は、メモリ６９に格納してある状態データを機能毎に区分して表示部６６に表示させるだけでなく、対象機器のレイアウト表示や、対象機器のメンテナンスの記録（メンテナンス台帳）表示を、リンク画面として表示部に表示させてもよい（図９▲２▼参照）。これにより、一の表示部で必要最大限の情報を監視することができる。
【００６０】
【発明の効果】
以上説明したように、請求項１に記載の発明によれば、表示制御手段が収集した状態データを機能毎に区分し、各区分における状態データの集合体を個々の表示要素として表示するので、対象機器の移動等によるレイアウトの変更によっても表示を変更する必要がなく、良好に対象機器の監視を行うことができる。
【００６１】
また、請求項２に記載の発明によれば、表示制御手段が区分情報に基づいて状態データを対象機器の機能毎に区分するので、機器の追加によるレイアウトの変更によっても、該当する機器を追加した態様で表示するだけでよく、良好に対象機器の監視を行うことができる。
【００６２】
また、請求項３に記載の発明によれば、データ入力手段が状態データに区分情報を付与し、表示制御手段がその区分情報に基づいて状態データを対象機器の機能毎に区分するので、型式や状態データを送出することができない機器等を対象機器に含んでいる場合にも良好に監視することができる。
【００６３】
また、請求項４に記載の発明によれば、異常検知手段と報知手段とを備えているので、対象機器に異常が発生した場合に早急にその旨を認識することができる。
【００６４】
また、請求項５に記載の発明によれば、視覚または聴覚を通じて対象機器に異常が発生したことを早急に認識することができる。
【図面の簡単な説明】
【図１】本発明の実施の形態に係る機器監視システムの構成を示すブロック図である。
【図２】図１に示した機器監視システムで適用する冷蔵／冷凍ショーケースの構成を示すブロック図である。
【図３】図１に示した機器監視システムで適用するケース用コントローラの構成を示すブロック図である。
【図４】図１に示した機器監視システムで適用する空調用コントローラの構成を示すブロック図である。
【図５】図１に示した機器監視システムで適用する店舗用監視装置の構成を示すブロック図である。
【図６】運転状態データがデータベース化された状態を示す説明図である。
【図７】設定状態データがデータベース化された状態を示す説明図である。
【図８】対象機器の設定状態データ等の入力画面を示す説明図である。
【図９】表示部の表示例を説明するための説明図である。
【図１０】図１に示した機器監視システムで適用する監視センターの構成を示すブロック図である。
【図１１】店舗用監視装置とコントローラとの状態データの送受信を説明するための説明図である。
【図１２】対象機器が追加された場合において運転状態データがデータベース化された状態を示す説明図である。
【図１３】対象機器が追加された場合における表示部の表示例を説明するための説明図である。
【図１４】従来のレイアウト表示に基づく表示例を説明するための説明図である。
【図１５】従来のレイアウト表示に基づく表示例を説明するための説明図である。
【符号の説明】
１０　　　監視センター
１１　　　監視制御部
１２　　　通信制御部
１３　　　データ収集処理部
１４　　　表示制御部
１５　　　表示部
１６　　　データ診断部
１７　　　メモリ
２０　　　冷蔵／冷凍ショーケース
２１　　　ショーケース
２２　　　冷凍機
３０　　　空調機
４０　　　ケース用コントローラ
４１　　　主制御部
４２　　　通信制御部
４３　　　冷凍機監視制御部
４４　　　ショーケース監視部
４５　　　メモリ
５０　　　空調用コントローラ
５１　　　主制御部
５２　　　通信制御部
５３　　　空調機監視制御部
５４　　　メモリ
６０　　　店舗用監視装置
６１　　　監視制御部
６２　　　通信制御部
６３　　　データ収集処理部
６４　　　データ入力部
６５　　　表示制御部
６６　　　表示部
６７　　　データ診断部
６８　　　データ出力部
６９　　　メモリ
【図１】
2004085097.tif 000003
【図２】
2004085097.tif 000004
【図３】
2004085097.tif 000005
【図４】
2004085097.tif 000006
【図５】
2004085097.tif 000007
【図６】
2004085097.tif 000008
【図７】
2004085097.tif 000009
【図８】
2004085097.tif 000010
【図９】
2004085097.tif 000011
【図１０】
2004085097.tif 000012
【図１１】
2004085097.tif 000013
【図１２】
2004085097.tif 000014
【図１３】
2004085097.tif 000015
【図１４】
2004085097.tif 000016
【図１５】
2004085097.tif 000017